(57)【要約】【課題】  都心における集合住宅において、カーテンやブラインド以外の方法で内外の関係に幅を持たせるために開口率５０％未満の外付けのスクリーンを設置しながら容積率に影響のない手段をとる。【解決手段】  各住戸６にはバルコニー３と吹抜け４をそれぞれ設け、吹き抜け部にはスクリーン２を設置する。また、その平面位置は、奇数階と偶数階では異なる位置とする。そうすることで室内の床面積を減ずることなく開口率５０％未満のスクリーンを設けることができ、また、２層毎の避難経路となり、有事の際、迅速な避難を可能とする。【選択図】図１
2017206930.tif 000002
【特許請求の範囲】
【請求項１】
中層ないし高層の集合住宅建物において、開口部の外側に一部開口率５０％未満のスクリーンを設けた物であり、スクリーンを設けた部分にはバルコニー床を設けず、吹き抜けとする事を特徴とする集合住宅。
【請求項２】
請求項１に記載の集合住宅建物において、奇数階と偶数階においてバルコニー床と吹き抜けを平面的に異なる位置に設けることで、バルコニー床を２層毎に設け、避難経路を２層毎としたことを特徴とする集合住宅。
【請求項３】
請求項１に記載の集合住宅建物において、開口部におけるスクリーンの素材として、軽量化の為に穴があけられたレンガの透かし積みを採用し、レンガスクリーンの表面積が大きくなっていることで、雨の後しばらくは水を纏ったような状態となり、夏季にはその水が徐々に蒸発し、その際気化熱を奪うため、外壁面の気温上昇が抑えられる集合住宅。
【発明の詳細な説明】
【技術分野】
【０００１】  本発明は、集合住宅に関するものである。
【背景技術】
【０００２】  オフィスやマンションが立ち並ぶような、高密度な住環境において、周辺から適度に距離を保つための工夫が必要となる。【０００３】  既存の集合住宅の多くでは、水平に連続する手摺付のオープンなバルコニーに面した開口部に対し、カーテンなどの有無によって内側と外側の関係は切り替えられる。
また、それに加え、外壁ルーバーや外付けブラインドなど、細長い棒状の物による開口率の高いスクリーンを設け、内外の関係に幅を持たす手法は既に見られる。
【先行技術文献】
【特許文献】
【０００４】
【特許文献１】特開２００８−１２１２３０号公報
【特許文献２】特開２００７−４００５１号公報
【特許文献３】特開２００６−１３８１８５号公報
【発明が解決しようとする課題】
【０００５】  住空間には、採光・換気・排煙を確保するために十分な開口を設ける必要があるが、都心の高密度な住環境においては開口を設けると、周囲から部屋の中が見えてしまい、結局、カーテンやブラインドが閉じられたままとなることが多い。
また、バルコニーの外側に開口率５０％未満のセミオープンなスクリーンを設けると、バルコニーは延べ床面積に算入されてしまい、集合住宅の事業計画が大きく揺らいでしまう。
【課題を解決するための手段】
【０００６】  そこで本発明では開口率５０％未満のスクリーンを取り付けたセミオープンな開口を用い、内外の関係に幅を持たせた上で、スクリーンに面したバルコニーの床を抜く。
その部分は床面積算入をしないため、室の面積を減ずることなく開口部の外側にスクリーンを設置できる。
【０００７】  各住戸に「床がなく、スクリーンのある部分」と、「床があり、スクリーンの無いバルコニーの部分」を設け、空調室外機の設置や、物干しなどは可能とする。また、その部分を奇数・偶数階において平面的に入れ替える事で、仮に奇数・偶数階が同じ間取りであっても住戸パターンが多様化し、住宅を購入または借りて住まう側の選択肢が広がる。
【０００８】避難方法は従来の集合住宅にあるように、バルコニーの避難経路を１層毎に下りていく方法ではなく、「床がなく、スクリーンのある部分」と、「床があり、スクリーンの無いバルコニーの部分」を奇数・偶数階において平面的に入れ替える事で、抜いた床を通過して、２層毎に下りる方法としている。これらの工夫によって、床面積に関する経済性や、避難上の制約をクリアし、新しい表情を持った集合住宅をつくることができる。
【図面の簡単な説明】
【０００９】
【図１】本発明の一実施の形態に係る集合住宅を示す桁行方向の正面図である。
【図２】図１に示す集合住宅の妻方向の正面図である。
【図３】図１に示す集合住宅の奇数階の平面図である。
【図４】図１に示す集合住宅の偶数階の平面図である。
【図５】図１に示す集合住宅の長手方向断面図である。
【図６】図５に示す断面図の拡大図である。
【発明を実施するための形態】
【００１０】  図面を参照し、本発明の好ましい実施の形態について実例を挙げて説明する。なお、各図において同じ要素には同じ符号を使い、適宜その説明を省略する場合がある。
【実施例１】
【００１１】  図１は、実施例１に係る集合住宅の正面図（桁行方向の正面図）、図３及び図４は同実施例の平面図である。この実施例では、各階の屋内における間取りは偶数階も奇数階も全て同じである。【００１２】  建物１は、多層積層された集合住宅として構成されている。図３，４に示すように、この実施例では、中心部に階段やエレベーターなどの縦動線を設け、それを取り囲むように複数の住戸６が配置されている。建物１の階数は中高層住宅などに適するが、２層以上であれば特に限定されない。建物１の構造種別も任意である。よって、建物の骨組み構造に係る柱や梁などは便宜上説明を適宜省略する。エレベーター、階段の配置に関しても任意であり、事例として図は記載するが、説明は省略する。【００１３】各住戸６（Ａ，Ｂ，Ｃ）に手摺５のあるバルコニー３に面した開口部８と、開口率５０％未満であるスクリーン２のある吹抜け４に面した開口部８をそれぞれ設け、奇数階と偶数階においてバルコニー３と吹抜け４を平面的に異なる位置とすることで、バルコニー床を２層ごとに設ける。
こうすることで、実施例においてスクリーン２の配置は外観上図１、図２に示すように千鳥配置となる。
バルコニー３には落下防止用の手摺５を設置する。【００１４】スクリーン２が千鳥配置となることで、奇数階と偶数階が同じ平面計画であっても、図３，図４、図６の示すように、住戸６の平面的な位置において、奇数階住戸６Ａではスクリーン２がある場所でも、偶数階住戸６ａではスクリーン２がない、ということになる。
これは、平面計画を変えることなく住戸パターンが多様化する事により、購入または借りて住まう側の選択肢を広げることに繋がる。【００１５】また、集合住宅において２方向避難が義務付けられるため、バルコニーを介した避難経路を設ける事が多く、一般的には１層毎に避難器具を乗り換える必要があるが、本発明においてはバルコニー３の床が２層毎に設けられるため、避難においては２層毎に避難器具を乗り換える方法となり、速やかな避難が可能である。なお、１層分は避難経路外側にスクリーン２があるため、下降時の恐怖心は抑えられている。【００１６】スクリーン２の素材については任意であるが、実施例１においては、中高層階にも地上が持つような落ち着きをもたらすために、レンガの透かし積みを用いている。そのため、視線を遮りながらも採光・換気・排煙を確保するため、レンガはしっかりと幅を広くする必要がある。規格品が幅２００ｍｍ×奥行き１００ｍｍ×高さ６０ｍｍであるのに対し、本実施例においては、幅４５０ｍｍという広幅のレンガを使用している。【００１７】また、レンガは磁器質タイルや石材、金属パネルといった外壁材より、吸水率が高いだけでなく、表面の凹凸が大きいため、表面にも水がとどまりやすい。本実施例ではそのレンガを透かし積みにすること、なおかつ軽量化の為に穴があけられている事により、レンガスクリーンの表面積が大きくなっている。そのためレンガスクリーンを外壁に用いた建築は、雨の後しばらくは水を纏ったような状態となる。夏季にはその水が徐々に蒸発し、その際気化熱を奪うため、外壁面の気温上昇が抑えられる。
【発明の効果】
【００１８】以上のように本発明によれば、容積率算定における床面積を増やすことなく開口部の外側にスクリーン２を設けることで、開口率５０％未満のセミオープンな開口を作り出すことができ、また、迅速な避難を可能にすることなど、経済性や避難上の制約をクリアして、新しい建物の表情を作り出すことを実現している。
【符号の説明】
【００１９】２  スクリーン
３  バルコニー
４  吹抜け
【図１】
2017206930.tif 000003
【図２】
2017206930.tif 000004
【図３】
2017206930.tif 000005
【図４】
2017206930.tif 000006
【図５】
2017206930.tif 000007
【図６】
2017206930.tif 000008